(57)【要約】【課題】渡した相手に印象付けられるようなデジタル名刺を、簡単に作成・利用できるようにする技術を提供することを目的とする。【解決手段】予め用意されている複数のテンプレートからユーザが選択したテンプレートのデザインを基本とし、そこにユーザが入力した名刺情報を埋め込んでデジタル名刺データを作成できるようにする。テンプレートは、音声や映像やプログラムを組み合わせた動的コンテンツを含むものとする。ユーザは、ＰＣなどで自己のデジタル名刺データを作成し、携帯電話などの端末にダウンロードして記憶する。他者の携帯電話との間で赤外線通信により名刺データの交換ができる。また、他者のデジタル名刺データを表示し、そこから電話番号やメールアドレスを選択して電話発信・メール送信を行うことができる。【選択図】図１
2009093381.tif 000002
【特許請求の範囲】
【請求項１】
デジタル名刺データを作成するデジタル名刺作成システムと、該デジタル名刺作成システムで作成したデジタル名刺データを利用する端末装置とを備えたデジタル名刺作成・利用システムであって、
前記デジタル名刺作成システムは、
予め用意されている複数のテンプレートであって動的コンテンツデータを含むテンプレートからユーザが選択したテンプレートのデザインを基本とし、そこにユーザが入力した名刺情報を埋め込んでデジタル名刺データを作成する手段と、
ユーザからのダウンロード要求に応じて、前記作成したデジタル名刺データを当該ユーザの端末装置に送信する手段と
を備え、
前記端末装置は、
前記デジタル名刺作成システムに対してダウンロード要求を発行し、前記デジタル名刺データを取得する手段と、
取得したデジタル名刺データを記憶する自名刺保持手段と
を備えることを特徴とするデジタル名刺作成・利用システム。
【請求項２】
請求項１に記載のデジタル名刺作成・利用システムにおいて、
前記端末装置は、他の端末装置との間の赤外線通信で、それぞれの自名刺保持手段に記憶されているデジタル名刺データを交換し、該交換により取得した他者のデジタル名刺データを他名刺保持手段に記憶する手段を、さらに備えることを特徴とするデジタル名刺作成・利用システム。
【請求項３】
請求項２に記載のデジタル名刺作成・利用システムにおいて、
前記他名刺保持手段に記憶されている他者のデジタル名刺データを表示し、表示された電話番号やメールアドレスを選択し、選択された電話番号やメールアドレスに電話発信やメール送信を行う手段を、さらに備えることを特徴とするデジタル名刺作成・利用システム。
【請求項４】
請求項２または３の何れか１つに記載のデジタル名刺作成・利用システムにおいて、
前記デジタル名刺データは、広告情報を含み、
他者のデジタル名刺データを表示するとき、前記自名刺保持手段に記憶されている自己のデジタル名刺データ中の広告情報を所定時間表示する手段を、さらに備えることを特徴とするデジタル名刺作成・利用システム。
【請求項５】
請求項４に記載のデジタル名刺作成・利用システムにおいて、
前記広告情報を、所定のタイミングで入れ替える手段を、さらに備えることを特徴とするデジタル名刺作成・利用システム。
【請求項６】
請求項１から５の何れか１つに記載のデジタル名刺作成・利用システムにおいて、
前記デジタル名刺データが、電子名刺の共通フォーマットデータ、または印刷用データを内包することを特徴とするデジタル名刺作成・利用システム。
【発明の詳細な説明】
【技術分野】
【０００１】
本発明は、音声や映像などの動的なコンテンツを含むデジタル名刺の技術に関するものである。
【背景技術】
【０００２】
従来の名刺は、会社名、氏名、住所、及び電話番号等が印刷された紙製のものであり、通常これを携帯し、取引の現場等で名刺を交換し、持ち帰って名刺ホルダーで保存したり、アドレス帳やアドレス管理ソフトなどに入力することで管理している。これでは、名刺の紛失の可能性や、第三者による情報の漏洩、流出の可能性がある。また、名刺のデザインなどの印象は少なからず相手に影響を与えるが、従来の名刺の性質上、デザインや形状、素材などを変更しても限界がある。また、紙の名刺をスキャナで読み取り、住所録として管理するソフトウェアが知られている。
【０００３】
名刺を電子データで構成して利用する技術として、下記特許文献１に記載のものが知られている。これは、デジタル名刺を、店の接客や営業に利用するものである。
【特許文献１】特開２００５−４４０９２
【発明の開示】
【発明が解決しようとする課題】
【０００４】
上述した従来の紙の名刺では、デザインや形状や素材などに限界があり、渡した相手に印象付けるには限界がある。紙の名刺をスキャナで読み取って管理するものも同様である。また、上記特許文献１に記載のものも、デジタル名刺のデザインなどは従来と同様であり、相手に印象付けるような名刺を作成するものではない。
【０００５】
本発明は、渡した相手に印象付けられるようなデジタル名刺を、簡単に作成・利用できるようにする技術を提供することを目的とする。
【課題を解決するための手段】
【０００６】
上記目的を達成するため、請求項１に係る発明は、デジタル名刺データを作成するデジタル名刺作成システムと、該デジタル名刺作成システムで作成したデジタル名刺データを利用する端末装置とを備えたデジタル名刺作成・利用システムであって、前記デジタル名刺作成システムは、予め用意されている複数のテンプレートであって動的コンテンツデータを含むテンプレートからユーザが選択したテンプレートのデザインを基本とし、そこにユーザが入力した名刺情報を埋め込んでデジタル名刺データを作成する手段と、ユーザからのダウンロード要求に応じて、前記作成したデジタル名刺データを当該ユーザの端末装置に送信する手段とを備え、前記端末装置は、前記デジタル名刺作成システムに対してダウンロード要求を発行し、前記デジタル名刺データを取得する手段と、取得したデジタル名刺データを記憶する自名刺保持手段とを備えることを特徴とする。
【０００７】
請求項２に係る発明は、請求項１に記載のデジタル名刺作成・利用システムにおいて、前記端末装置は、他の端末装置との間の赤外線通信で、それぞれの自名刺保持手段に記憶されているデジタル名刺データを交換し、該交換により取得した他者のデジタル名刺データを他名刺保持手段に記憶する手段を、さらに備えることを特徴とする。
【０００８】
請求項３に係る発明は、請求項２に記載のデジタル名刺作成・利用システムにおいて、前記他名刺保持手段に記憶されている他者のデジタル名刺データを表示し、表示された電話番号やメールアドレスを選択し、選択された電話番号やメールアドレスに電話発信やメール送信を行う手段を、さらに備えることを特徴とする。
【０００９】
請求項４に係る発明は、請求項２または３の何れか１つに記載のデジタル名刺作成・利用システムにおいて、前記デジタル名刺データは、広告情報を含み、他者のデジタル名刺データを表示するとき、前記自名刺保持手段に記憶されている自己のデジタル名刺データ中の広告情報を所定時間表示する手段を、さらに備えることを特徴とする。
【００１０】
請求項５に係る発明は、請求項４に記載のデジタル名刺作成・利用システムにおいて、前記広告情報を、所定のタイミングで入れ替える手段を、さらに備えることを特徴とする。
【００１１】
請求項６に係る発明は、請求項１から５の何れか１つに記載のデジタル名刺作成・利用システムにおいて、前記デジタル名刺データが、電子名刺の共通フォーマットデータ、または印刷用データを内包することを特徴とする。
【発明の効果】
【００１２】
本発明によれば、デジタル名刺を提供することにより、従来の紙製の名刺の課題であった利便性、管理、印象などの解決になるほか、経費の削減や、ペーパーレスによる環境への配慮などの効果がある。また、新しいビジネスツールとして、新しいビジネスカルチャーとしての展開を可能とする発明である。紙製の名刺を携帯し交換するのではなく、携帯電話や専用機械等のユーザ端末に、コンテンツとして組み込むデジタル名刺として提供するので、名刺の管理をモバイル端末で行うことができ、名刺の紛失や、第三者による情報の漏洩、流出の可能性が低くなる。また、ユーザ端末の特性を活かし、音声や映像やプログラムなどの動的コンテンツを組み合わせることで、従来の名刺には無い印象や利便性を持つデジタル名刺として提供することができる。
【発明を実施するための最良の形態】
【００１３】
以下、図面を用いてこの発明を実施するための実施の形態を説明する。
【００１４】
図１は、ユーザ端末で利用するためのデジタル名刺を作成／利用するシステムの全体図である。広域ネットワーク１０２に、ＡＳＰサーバ１０１及びユーザ端末１０３が接続されている。ＡＳＰサーバ１０１は、デジタル名刺作成部１１１、データベース１１２、組込み用アプリケーション１１３、及び認証部１１４を備える。ユーザ端末１０３は、ＰＣ１３１，１３２、携帯電話１３３、及びデジタル名刺専用機１３４など、ユーザが使用するどのような端末装置でも良いが、ユーザが名刺データを作成したいときはＰＣ１３１，１３２を用い、名刺データを利用したいときには携帯電話１３３やデジタル名刺専用機１３４を用いるのが便利であるので、以下では、初めにＰＣ１３１を用いて名刺データを作成し、その後、携帯電話１３３を用いてその名刺データを利用する例で説明する。
【００１５】
デジタル名刺作成部１１１は、ユーザがＰＣ１３１からＡＳＰサーバ１０１に接続して自己の名刺データを作成する機能を提供するＷｅｂアプリケーションである。名刺データの作成については、図２で詳しく説明する。データベース１１２は、デジタル名刺データなどを格納する。データベース１１２については図５で詳しく説明する。組込み用アプリケーション１１３は、デジタル名刺を使用する携帯電話１３３に組込むアプリケーションプログラムである。認証部１１４は、ＡＳＰサーバ１０１にアクセスするユーザが正当な権限を持つ者かを認証する機能を果す。
【００１６】
図２は、図１のシステムにおいてＰＣ１３１によりユーザがデジタル名刺を作成する処理手順を示す。この処理は、主として図１のデジタル名刺作成部１１１により実行されるものである。
【００１７】
ユーザがＰＣ１３１から所定のアドレスを入力してＨＴＴＰ接続でＡＳＰサーバ１０１に接続すると、ＰＣ１３１にログインページが表示される（ステップ２０１）。ユーザは該ログインページにユーザＩＤとパスワードを入力し（ステップ２０２）、ＡＳＰサーバ１０１に送信する。ＡＳＰサーバ１０１は、認証部１１４により当該ユーザのユーザＩＤ及びパスワードを認証し（ステップ２０３）、認証に失敗した場合は、ステップ２０１に戻る。認証に成功したら、ＰＣ１３１にデジタル名刺作成ページを表示する（ステップ２０４）。ユーザは、該作成ページで、テンプレートからデジタル名刺の基本となるデザインを選択し（ステップ２０５）、確認の後（ステップ２０６）、決定ボタンをオンする。修正があるときは、キャンセルボタンをオンし、ステップ２０７から２０４に戻ってデザイン選択から処理を繰り返す。
【００１８】
デザインが決定されたら（ステップ２０７）、ＰＣ１３１に名刺情報入力ページを表示する（ステップ２０８）。ユーザは、該名刺情報入力ページで名刺情報を入力する（ステップ２０９）。名刺情報とは、当該ユーザの住所氏名などである。入力した名刺情報を確認し（ステップ２１０）、決定ボタンが押されたら（ステップ２１１）、ステップ２１２に進む。名刺情報の修正があるときは、キャンセルボタンを押下して、ステップ２１１から２０８に戻り、名刺情報の入力をやり直す。
【００１９】
名刺情報が入力されたら、そこまでで入力された情報に基づいて名刺データを作成する（ステップ２１２）。次に、インデックス情報を作成し（ステップ２１３）、名刺データとインデックス情報をデータベース１１２に保存する（ステップ２１４）。インデックス情報とは、名刺データを識別するために各名刺データに付けられた識別情報である。さらに、アクセス情報を作成し（ステップ２１５）、確認の後（ステップ２１６）、当該アクセス情報をユーザ端末からＡＳＰサーバ１０１に送信する。アクセス情報を送信しない場合は、ステップ２１７から処理を終了する。アクセス情報は、ステップ２１４で保存したインデックス情報を含む。
【００２０】
以上により、ＡＳＰサーバ１０１のデータベース１１２に当該ユーザのデジタル名刺データが生成されたことになる。またユーザはそのデジタル名刺データにアクセスするためのアクセス情報を受け取ったことになる。
【００２１】
デジタル名刺を作成する場合、作成者には専門的な知識が求められ、作成においてかなりの時間を要する、などの問題がある。特に、音声や映像などの動的コンテンツを含む名刺データを作成するのは容易ではない。これに対し、本実施形態のシステムでは、予め音声や映像などの動的コンテンツを組み込んだテンプレートを提供し、これを使用してデジタル名刺を作成することができる。これにより、一般ユーザでも比較的簡単にデジタル名刺の作成が可能である。
【００２２】
特に、本実施形態のデジタル名刺作成システムには次のような特徴がある。
（a）サーバーで動作し、全ての操作をインターネットブラウザから行うウェブアプリケーションのため、インターネットに接続できるパソコンがあれば、特別なソフトウェアなどを導入する必要も無く、場所や時間に関わらず使用できる。
（b）予め音声や映像やプログラムを組み込んだテンプレートを用意し提供するため、作成者は専門的な知識を殆ど必要としない。
（c）インターネットブラウザからテンプレートを選択し、名刺に記載する情報を項目ごとに入力するという簡単な操作でデジタル名刺を作成することができる。またデジタル名刺と共通のデザインの印刷用名刺データもあわせて作成することができる。このデータを印刷し裁断することで従来の紙製の名刺も作成できる。
【００２３】
図３（ａ）は、デジタル名刺データを利用するユーザが自己の携帯電話１３３に組込むアプリケーションの機能構成を示す。この組込みアプリケーションは、ユーザが携帯電話１３３からＡＳＰサーバ１０１に接続し、所定の手順で認証が行われた後、組込み用アプリケーション１１３をダウンロードして携帯電話１３３にインストールしたものである。自名刺保持部３０１は、この組込みアプリケーションが組込まれた携帯電話１３３のユーザ自身のデジタル名刺データを保持する部分である。他名刺保持部３０２は、名刺交換などにより取得した他人のデジタル名刺データを保持する部分である。ＧＵＩ３０３は、この携帯電話１３３におけるデジタル名刺の処理の際のユーザインターフェースの機能を果すプログラムである。名刺交換処理３０４は、他人のユーザ端末との間で通信を行い名刺交換を行うプログラムである。名刺一覧表示・選択処理３０５は、他名刺保持部３０２に保持されている他人の名刺データの一覧を表示し選択する処理プログラムである。発信・送信処理３０６は、選択した相手に対し電話での通話要求を発信したりメール送信を行う処理プログラムである。名刺検索処理３０７は、他名刺保持部３０２に保持されているデジタル名刺データから所望の検索条件に合致するデータを検索する処理プログラムである。
【００２４】
図３（ｂ）は、ユーザが携帯電話１３３によりデジタル名刺データをダウンロードする際の処理手順を示す。この処理は、主として図３（ａ）のＧＵＩ３０３により実行される。ユーザ端末１０３で所定のダウンロードアドレスを入力しＡＳＰサーバ１０１に接続する。ユーザ端末１０３にはアクセス情報入力ページが表示される（ステップ３１１）。ユーザはこのアクセス情報入力ページでアクセス情報を入力する（ステップ３１２）。入力すべきアクセス情報は、既に名刺データ作成時にステップ２１８でＡＳＰサーバ１０１から取得済みのものである。ステップ３１２で入力されたアクセス情報は、ユーザ端末１０３からＡＳＰサーバ１０１に送信される。ＡＳＰサーバ１０１では、入力されたアクセス情報に含まれるインデックス情報を取得し、そのインデックス情報をデータベース１１２に照会する。当該インデックス情報に対応するデータがデータベース１１２中に存在していたら（ステップ３１３）、その名刺データをＡＳＰサーバ１０１から当該ユーザ端末１０３にダウンロードする（ステップ３１４）。以上により、ユーザは、ＰＣ１３１で作成した名刺データを携帯電話１３３にダウンロードすることができる。ダウンロードされた名刺データは、図３（ａ）の自名刺保持部３０１に格納する。
【００２５】
図４は、デジタル名刺データのデータ形式を示す。デジタル名刺データ４０１は、電子名刺標準フォーマットデータ４１１、印刷用データ４１２、動的コンテンツデータ４１３、及び広告情報４１４を含む。電子名刺標準フォーマットデータ４１１は、携帯電話などにおいて利用される汎用的な名刺データの共通フォーマットのデータである。この標準フォーマットデータを備えているため、携帯電話などにおけるアドレス帳への登録が可能である。また、ＰＣにバックアップした際に名簿管理ソフトなどで管理することもできる。印刷用データ４１２は、プリンタで印刷し裁断することで従来の紙の名刺として使用できるデータである。動的コンテンツデータ４１３は、名刺を表示したときに、画面上に表示される動画（アニメーション）や音声として出力される音声データなどである。このような動的コンテンツデータをデジタル名刺に組み込むことによって、相手に非常に強い印象を与えることができる。広告情報４１４は、この名刺データを使用する際に所定時間表示する広告のデータである。本システムでデジタル名刺を利用するユーザは、有料ユーザと無料ユーザに分けられる。有料ユーザは、所定額の対価を支払ったユーザ、無料ユーザは対価を支払わず無料で利用するユーザである。有料か無料かは、ユーザが本システムに対し利用登録する際にユーザ自身が選択する。有料ユーザの場合、その者が作成した名刺データには広告情報４１４が含まれない。無料ユーザの場合、その者が作成した名刺データには広告情報が含まれる。
【００２６】
このようなデジタル名刺データは、例えば赤外線通信、無線ＬＡＮ、Ｂｌｕｅｔｏｏｔｈなどの各種の通信手段により、ユーザ端末同士でデータ交換することができる。上記の各データ４１１〜４１４の基本部分は、ユーザがデジタル名刺作成時にステップ２０５で選択するテンプレートに含まれている。従って、ユーザはテンプレートを選ぶだけで自己の名刺中に動的コンテンツを含めることができる。動的コンテンツを含めることにより、非常に相手に強い印象を与えることができるデジタル名刺が実現できる。
【００２７】
なお、電子名刺標準フォーマットデータ４１１としては、例えば、電子名刺の標準フォーマットデータの１つであるvCardファイル（拡張子がvcf）を用いればよい。印刷用データ４１２としては、例えばPDFファイル（拡張子がpdfのファイル）を用いればよい。動的コンテンツデータ４１３としては、Flash Liteファイル（拡張子がswfのファイル）を用いればよい。これは、Action Script（Flash用プログラミング言語）を利用した動的コンテンツである。動的コンテンツは、大きくは、画像、音声、及びプログラムの３つに分けることができ、それぞれのデータをFlash Liteデータにまとめる。画像は、JPEG、GIF等の画像が表示が可能で、またFlash Liteの機能を利用したアニメーションの表示も可能である。音声は、携帯電話向けの音楽データフォーマットであるSMAF形式の音声データなどを用いる。楽曲だけでなく音声の再生が可能である。プログラムは、Flash用プログラミング言語のAction Scriptを利用する。このプログラムによって、電話の発信、メールの送信、文字の拡大表示、インターネットを経由したデータベースとの連動、画像の表示、音声の再生などの制御を行う。Action Scriptで出来ることはバージョンによって異なる。
【００２８】
図５は、図１のＡＳＰサーバ１０１が備えるデータベース１１２に格納するデータ例を示す。データベース１１２には、インデックス５１１、ユーザＩＤ５１２、テンプレート５１３、名刺内容情報５１４、名刺データ５１５、有料・無料の別５１６、及び有効期限５１７が格納される。インデックス５１１は、このデータベース５０１に登録する各レコードを識別するインデックス情報である。ユーザＩＤ５１２は、ユーザを特定するＩＤである。テンプレート５１３、名刺内容情報５１４、及び名刺データ５１５は、当該ユーザが名刺データの作成に利用したテンプレートとそのテンプレート内に配置した当該ユーザの住所や名前などの情報（その配置情報も含む）、及び最終的に作成された名刺データ（図４のフォーマットのデータ）である。有料・無料の別５１６は、当該ユーザが有料ユーザか無料ユーザかを示す。有効期限５１７は、当該名刺データの有効期限を示す。有効期限５１７は、当該名刺データが作成され本データベースに登録されるときに設定される。有料ユーザの場合、支払った対価に応じた有効期限が設定され、無料ユーザの場合、予め決められた期間での有効期限が設定される。
【００２９】
図６は、各種の通信手段によりユーザ端末同士で名刺交換を行うときの処理手順を示す。この処理は、主として図３（ａ）の名刺交換処理３０４により実行される。また、図６に示す処理は、一方のユーザ端末で実行される処理である。ステップ６０１で、携帯電話１３３で自己のデジタル名刺データを表示する。ステップ６０２で、送信ボタンのオンなど所定の送信の指示を行うと、ステップ６０３で確認画面が表示されるので、確認ボタンなどをオンすると、ステップ６０４でデジタル名刺データの送信を開始する。送信が成功したらステップ６０５で完了画面を表示し、終了する。ステップ６０３の確認画面でキャンセルしたとき、あるいはステップ６０４の送信処理でエラーが発生したときは、ステップ６０１から処理を繰り返す。受信側の処理については説明を省略するが、要するに図６の送信処理と同期して受信処理を行い、受信した名刺データを他名刺保持部３０２に格納する処理である。
【００３０】
図７は、あるユーザ端末で、取得してある他者のデジタル名刺データを表示し、そのデジタル名刺からそのユーザに対して電話をかけたりメールを送信するときの処理手順を示す。この処理は、主として図３（ａ）の発信・送信処理３０６により実行される。ステップ７０１で、電話やメール送信を行う相手のデジタル名刺を表示する。なお、電話やメール送信したい相手の名刺データを表示するためには、名刺一覧表示・選択処理３０５や名刺検索処理３０７を実行する。名刺一覧表示・選択処理３０５は、他名刺保持部３０２に格納されている名刺データの一覧をリスト表示し、その中から選択された名刺データを表示する処理である。名刺検索処理３０７については、図８で詳述する。ステップ７０１の後、ステップ７０２で、表示されたデジタル名刺中の電話番号あるいはメールアドレスのリンク部分を選択する。ステップ７０３の確認処理の後、ステップ７０４で当該リンクが示す電話番号あるいはメールアドレスへのメール送信を行う。このように、直感的に操作できるため、電話発信やメール送信などを簡単に行うことができる。
【００３１】
図８は、ユーザ端末において、取得され保持している他者の名刺データから目的の名刺データを検索する処理の手順である。この処理は、主として図３（ａ）の名刺検索処理３０７により実行される。ステップ８０１で、検索条件を入力する画面を表示する。ステップ８０２で検索条件を入力する。検索条件としては、名前、住所、その他、従来より知られている条件で良い。ステップ８０３で、入力された検索条件で、他名刺保持部３０２に保存されている名刺データから検索を行う。該当するデータがあれば、ステップ８０４から８０５に進み、該当する名刺データを表示し、終了する。検索条件に合致するデータがないときは、ステップ８０４から８０１に戻り、検索条件の入力から再度実行する。
【００３２】
図９（ａ）は、デジタル名刺を選択して携帯電話１３３の画面上に表示した例を示す。名前９０１、メールアドレス９０２、ロゴマーク９０４、会社名や住所９０５、電話番号及びＦＡＸ番号９０６、及びウェブのＵＲＬ９０７が表示されている。これらの情報は、この名刺データを作成したユーザがステップ２０９で入力したものである。文字情報のほか、９０４に示すようなロゴマークもユーザが作成してデジタル名刺データに含めることができる。さらに、本実施形態のデジタル名刺では、図４で説明したように動的コンテンツデータ４１３を含めることができる。９０３は動的コンテンツデータの一例であり、表示されたデジタル名刺の画面上を魚が泳いでいるようにアニメーションで表示している。このような動画データのほか、例えばこのデジタル名刺を表示したときに所定の音声が出力されるようなものでも良い。
【００３３】
メールアドレス９０２及び電話番号９０６の部分は、いわゆるリンクの表示となっており、該リンク部分を選択して所定の実行キーをオンすることにより、図７の処理で、当該メールアドレスを宛先とする送信メールの作成画面や当該電話番号の発信を行うことができる。なお、表示されたデジタル名刺内の各表示要素にカーソルをあわせると、その部分が拡大表示されるようにしてもよい。
【００３４】
図９（ｂ）は、無料ユーザの場合の広告表示の例である。無料ユーザの場合、自名刺保存部３０１に格納されている自己の名刺データには広告情報４１４が含まれており、この広告情報４１４が種々のタイミングで表示される。例えば、ユーザが端末の他名刺保持部３０２に保存されている他者のデジタル名刺データから１つを選択し画面上に表示する指示を行ったとき、９２１に示すようにその名刺データが表示され、その名刺の電話番号を選択して発信したとき、９２２に示すように、呼出中画面に広告情報４１４が表示される。９２１の名刺表示画面でメールアドレスを選択したときも、同様にして、そのメールアドレスを宛先とする送信メールの作成画面に移行する間の少しの時間に広告情報４１４による広告表示が行われる。
【００３５】
上記の例は名刺表示を行ったのち広告表示を行う例であるが、名刺表示を行う前に所定時間広告表示を行っても良い。例えば、ユーザが端末の他名刺保持部３０２に保存されている名刺データから１つを選択して表示する指示を出したとき、広告情報４１４を９２３に示すように例えば５秒程度表示し、その後、当該名刺の表示９２４を行うようにしても良い。
【００３６】
なお、デジタル名刺は定期的に（有効期限５１７が来る前に）利用更新が必要で、この利用更新の際に広告情報４１４を更新するものとする。無料ユーザから有料ユーザに、有料ユーザから無料ユーザに変更することも可能である。その際、（１）無料ユーザ→無料ユーザへの更新時は、最新の広告情報がダウンロードされ、（２）無料ユーザ→有料ユーザへの更新時は、広告情報が削除され、（３）有料ユーザ→無料ユーザへの更新時は、新たに広告情報がダウンロードされ、（４）有料ユーザ→有料ユーザへの更新時は、広告情報はダウンロードされない。このようにして、利用更新時に広告情報の入れ替えを行う。
【００３７】
図１０は、広告情報４１４の管理方式を示す全体構成図である。管理サーバ１００２（図１のＡＳＰサーバ１０１と同マシンでも別マシンでもよい）上にはデータベース１０２２内に広告情報やポイント情報などが格納されている。この広告情報は、広告を出したい店舗の端末１００３から適宜変更することができる。その場合は認証処理１０２３を介して、認証された店舗端末１００３からの変更のみを許可するようにしている。
【００３８】
ユーザ端末１００１（携帯電話１０１１やデジタル名刺専用機１０１２）からは、上述したように初めに名刺データを作成する際に有料ユーザか無料ユーザかを選択させ、無料ユーザについては、図４で説明したようにデジタル名刺データ中に広告情報４１４を含ませる。この広告情報４１４は、データベース１０２２から適宜選択したものである。なお、ユーザ端末１００１において名刺データを表示するとき、その際に表示する広告情報を自動的に管理サーバ１００２からダウンロードしても良い。
【００３９】
このように、インターネットを経由してデジタル名刺へ広告情報を配信することができる。セール情報などの広告を配信することでただの名刺ではなく、宣伝広告ツールとして活用することができる。また、ショップカードやポイントカードとして店舗から顧客へ提供することも可能である。
【００４０】
図１１（ａ）は、デジタル名刺専用機（図１の１３４、図１０の１０１２）の外観を示す。上記ではユーザ端末が携帯電話である例を主として説明したが、携帯電話の代わりにデジタル名刺専用機１１００を利用することもできる。デジタル名刺専用機１１００は、携帯電話から電話機能を取り去り、単体でデジタル名刺データを管理することができる電子的な名刺入れのようなものである。デジタル名刺専用機１１００は、ディスプレイ１１０１、操作ボタン１１０２、及び赤外線通信用Ｉ／Ｆ１１０３を備えている。
【００４１】
図１１（ｂ）は、デジタル名刺専用機１１００のブロック構成を示す。デジタル名刺専用機１１００は、中央処理装置（ＣＰＵ）１１１１、リードオンリメモリ（ＲＯＭ）１１１２、ランダムアクセスメモリ（ＲＡＭ）１１１３、ディスプレイ１１１４、ボタン１１１５、無線ＬＡＮインターフェース（Ｉ／Ｆ）１１１６、Ｂｌｕｅｔｏｏｔｈ  Ｉ／Ｆ１１１７、及び赤外線通信Ｉ／Ｆ１１１８を備える。これら各部はバスライン１１２０で相互に接続されている。
【００４２】
デジタル名刺専用機１１００は、無線ＬＡＮ  Ｉ／Ｆ１１１６及びＢｌｕｅｔｏｏｔｈ  Ｉ／Ｆ１１１７を備えているので、これらのインターフェースにより従来知られているのと同様の方式でインターネットに接続することが可能である。これにより、図１〜４で説明したようなデジタル名刺データを作成することができる。作成のためにはインターネットを介してＡＳＰサーバ１１３に接続して上述した手順で名刺データを作成すれば良い。またデジタル名刺専用機１１００は、赤外線通信Ｉ／Ｆ１１１８を備えているので、このインターフェースにより他者の携帯電話あるいはデジタル名刺専用機との間で名刺交換を行うことができる。名刺交換の手順は上述した図６と同様である。また、電話機能は備えていないが、インターネットに接続できるので、画面１１０１に表示したデジタル名刺データからメールアドレスを選択してメールを送信することができる。その手順は、図７や図８で説明したのと同様である。
【００４３】
上記デジタル名刺専用機１１００は、デジタル名刺をビジネスツールとして展開するためのものであり、デジタル名刺機能の他にも、非接触型ICチップ機能、赤外線通信機能など、ビジネスマンにとって便利な機能を搭載したビジネスツールである。このデジタル名刺専用機１１００は、次のような特徴を持つ。
（a）上記モバイル端末を利用したデジタル名刺機能と同等の機能を搭載している。
（b）赤外線通信機能を搭載することで、モバイル端末との名刺交換、パソコンへのデータ転送などの互換性を持っている。
（c）非接触型ICチップ機能を搭載し、電子マネーの利用を可能にする。電子マネーによる決済やチャージの他、電車・バス等の乗車カードとして利用できる。
（d）デジタル名刺を管理するために電子名簿機能を搭載している。
（e）機械の大きさは一般的な名刺ケース程の大きさであり、常時携帯していても比較的邪魔にならない大きさである。
【図面の簡単な説明】
【００４４】
【図１】ユーザ端末で利用するためのデジタル名刺を作成／利用するシステムの全体図
【図２】ユーザがデジタル名刺を作成する処理手順を示すフローチャート
【図３】携帯電話に組込むアプリケーションの機能構成図及びデジタル名刺データをダウンロードする際の処理手順を示すフローチャート
【図４】デジタル名刺データのデータ形式を示す図
【図５】データベースに格納するデータ例を示す図
【図６】名刺交換を行うときの処理手順を示すフローチャート
【図７】発信・送信処理の処理手順を示すフローチャート
【図８】名刺データを検索する処理の手順を示すフローチャート
【図９】デジタル名刺を画面上に表示した例及び広告表示の例を示す図
【図１０】広告情報の管理方式を示す全体構成図
【図１１】デジタル名刺専用機の構成を示す図
【符号の説明】
【００４５】
１０１…ＡＳＰサーバ、１０２…広域ネットワーク、１０３…ユーザ端末、１１１…デジタル名刺作成部、１１２…データベース、１１３…組込み用アプリケーション、１１４…認証部、１３１，１３２…ＰＣ、１３３…携帯電話、１３４…デジタル名刺専用機。
【図１】
2009093381.tif 000003
【図２】
2009093381.tif 000004
【図３】
2009093381.tif 000005
【図４】
2009093381.tif 000006
【図５】
2009093381.tif 000007
【図６】
2009093381.tif 000008
【図７】
2009093381.tif 000009
【図８】
2009093381.tif 000010
【図９】
2009093381.tif 000011
【図１０】
2009093381.tif 000012
【図１１】
2009093381.tif 000013